(57)【要約】【課題】軽い力で噴射操作可能で、しかも噴射操作時にも噴射容器を安定的に保持可能で、安定した噴射操作を行い得る噴射操作支援器具を提供する。【解決手段】噴射容器２のノズル２２ｂのフランジ２２２の上面に少なくとも３点で当接する支持部１１ａを有する器具本体１１と、噴射容器２の容器本体２１の底面に当接する作用点Ａを有する操作レバー１２とを備え、操作レバー１２は、操作者が左右側方から操作レバー１２の操作部Ｒを押し込むことによりスプリング２２ｃの付勢力に抗して第１位置から第２位置へ揺動し、操作レバー１２が第１位置から第２位置へ揺動すると操作レバー１２の作用点Ａが上方且つ左右外方に移動して、該作用点Ａによって容器本体２１がノズル２２ｂに対して上方に押し込まれ、このように押し込まれた状態でスプリング２２ｃの付勢力によって少なくとも３点でフランジ２２２が支持部１１ａに当接支持されるよう構成する。【選択図】図２
2019119524.tif 000002
【特許請求の範囲】
【請求項１】
底面を有する容器本体と、上下方向に延びる吐出路及び該吐出路の外周側に設けられたフランジを有し且つ前記容器本体に対して下方に相対的に押し込み操作可能に前記容器本体の上部に取り付けられるノズルと、該ノズルを前記容器本体に対して上方に付勢する付勢部材とを備え、前記底面は前記上下方向に対して略直交している噴射容器に取り付けられる噴射操作支援器具であって、
前記ノズルの前記フランジの上面に周方向の少なくとも３点で当接する支持部を有する器具本体と、前記容器本体の底面に当接する作用点を有する操作レバーとを備え、
前記操作レバーは、前記噴射容器の一側方に位置する支軸周りに第１位置と第２位置との間で揺動可能に前記器具本体に取り付けられており、
前記操作レバーは、前記支軸の下方に位置する操作部を有し、操作者が左右側方から前記操作部を押し込むことにより前記付勢部材の付勢力に抗して第１位置から第２位置へ揺動するよう構成され、
前記操作レバーが第１位置にあるとき前記作用点は前記底面の所定の位置に当接し、
前記操作レバーが第２位置にあるとき前記作用点は第１位置にあるときよりも上方且つ前記一側方とは反対側の他側方に位置して、該作用点によって前記容器本体が前記ノズルに対して上方に押し込まれ、このように押し込まれた状態で前記付勢部材の付勢力により前記ノズルが上方に付勢され、該付勢力によって前記少なくとも３点で前記フランジが前記支持部に当接支持されるよう構成されている、
噴射操作支援器具。
【請求項２】
前記器具本体は、下方から前記噴射容器を受け入れる容器収容部を有し、
前記操作レバーは前記器具本体に対して着脱可能に構成されている、
請求項１に記載の噴射操作支援器具。
【請求項３】
前記器具本体に着脱可能なキャップをさらに備え、
前記器具本体に装着されたキャップは、第１位置にある前記操作レバーに係合して、該操作レバーが第２位置に向けて揺動することを阻止する、
請求項１又は２に記載の噴射操作支援器具。
【請求項４】
前記キャップが前記器具本体に装着されたときに前記ノズルの吐出路の上端開口をシールするシール部材が前記キャップに取り付けられており、前記付勢部材の付勢力によって前記ノズルの上端部が前記シール部材に押圧される、請求項３に記載の噴射操作支援器具。
【請求項５】
前記キャップは、前記シール部材の周縁部を支持する支持部と、前記シール部材の中央部が上方に湾曲変形することを許容する変形許容空間とを備え、前記キャップが前記器具本体に装着されたとき前記ノズルの上端部により前記シール部材の中央部が上方に押されて湾曲変形する、請求項４に記載の噴射操作支援器具。
【発明の詳細な説明】
【技術分野】
【０００１】
本発明は、例えば点鼻容器などの噴射容器を収容して、噴射操作をより簡便且つ確実に行えるようにするための噴射操作支援器具に関する。
【背景技術】
【０００２】
この種の噴射操作支援器具は従来より種々開発されている。
【０００３】
例えば特許文献１に開示された噴射アダプタは、収納部(18)に収納した噴射容器(14)の容器本体(10)を押し上げる操作レバー(20)の押上部(26)が、収納部(18)の幅方向外側よりも内側が後方に位置する傾斜構造を有し、操作レバー(20)の収納部(18)内に向けての押し込み動作によって押上部(26)の傾斜構造を介して容器本体(10)を押し上げて噴射ボタン(12)を没しさせて噴射し、一方、押し込み動作を解除したときに噴射ボタン(12)の弾性体による突状態への復帰動作によって容器本体(10)が後方に移動し、押上部(26)を介して操作レバー(20)が復帰するよう構成されている。
【０００４】
特許文献１の噴射アダプタによれば、ディスペンサーやエアゾール容器等の噴射容器に装着したアダプターの操作部を「てこの原理」で駆動させることにより、適切な操作感で適切量の液体を噴射容器から噴射させることができる。しかし、押上部の傾斜構造を介して容器本体を押し上げるものであるから、比較的小さな操作量で噴射されるように傾斜角度を設定すると操作力の分力のうち容器を側方に押し込む力の割合が比較的大きくなってしまう。
【０００５】
また、特許文献２の図３〜図９及び図１２には、フランジ無しポンプ型容器(43)が側方から挿入されるケース(42)と、該ケース(42)に対して枢軸を介して回転可能に取り付けられたクロージャ(40)（蓋）とを備えるディスペンサーが開示されている。ポンプ型容器(43)のノズル(46)は、クロージャ(40)に取り付けられたドーナツ状パイロット開口(50)に挿入されていて、該開口(50)の縁は、容器(43)が僅かに枢動することを許容するように丸みを帯びた形状となっている。これにより、クロージャ(40)が押し込み操作されると、容器(43)が僅かに枢動して、ノズル(46)の曲がり効果を最小とし、ノズル(46)へレセプタクル(47)によりかかる力を容器(43)の軸線(51)と整合するようにしている。
【０００６】
かかる特許文献２記載の構造では、押し込み操作時に容器を枢動させることを前提としているため、噴射操作時の安定性が低下して、的確に噴射が行われない可能性がある。
【０００７】
なお、特許文献２の図１及び図２には、蓋(12)をケース(11)に軸方向に押し込むことで噴射動作をさせる実施例が開示されており、かかる実施例では容器のポンプピストン(26)にフランジ(27)を設けて、このフランジ(27)をケースに当接させているが、クロージャ(40)をケースに対して枢軸を介して回転可能に取り付けた場合にフランジ付き容器を用いることについては何ら開示されていない。
【０００８】
また、特許文献３には、ノズル付きの薬液容器を側部から収納して保持する本体部と、該本体部の一端に開閉自在に連結する蓋部と、該蓋部の先端に屈曲自在に連結する駆動部とを備え、蓋部を本体部側に閉じると、駆動部が蓋部の内側に屈曲し、本体部内の薬液容器の底部を軸方向に駆動して本体部の外部に突出するノズルから薬液を噴射させる薬液容器の噴射アダプタが開示されている。
【０００９】
かかる特許文献３記載の噴射アダプタの駆動部は、薬液容器の底部のほぼ中央部に常に当接するため、駆動部による押し上げ時に薬液容器が傾くことがない。しかし、駆動部をほぼ中央部に位置させるために駆動部を内側に屈曲可能に形成して、この駆動部にケースの一部を当接させているから、押し込み操作初期の段階で引っかかりが生じやすいとともに、押し込み操作力の多くが側方への力となってケースに作用し、軽い力では噴射操作を行えないおそれがある。
【先行技術文献】
【特許文献】
【００１０】
【特許文献１】特開２０１０−２５４３１２号公報
【特許文献２】特開平３−１４８４８０号公報
【特許文献３】特開２００７−１５１６４６号公報
【発明の概要】
【発明が解決しようとする課題】
【００１１】
本発明は、軽い力で噴射操作可能で、しかも噴射操作時にも噴射容器を安定的に保持可能で、安定した噴射操作を行い得る噴射操作支援器具を提供することを目的とする。
【課題を解決するための手段】
【００１２】
本発明の噴射操作支援器具は、噴射容器に取り付けられて、噴射操作を軽い力で容易に行えるようにするものである。噴射容器は、底面を有する容器本体と、上下方向に延びる吐出路及び該吐出路の外周側に設けられたフランジを有し且つ前記容器本体に対して下方に相対的に押し込み操作可能に前記容器本体の上部に取り付けられるノズルと、該ノズルを前記容器本体に対して上方に付勢する付勢部材とを備え、前記底面は前記上下方向に対して略直交している。このような噴射容器は、付勢部材の付勢力に抗して容器本体に対してノズルを下方に押し込むと、ノズル先端の噴霧口から霧状ないし泡状となった内用液が噴射されるよう構成されている。
【００１３】
本発明の噴射操作支援器具は、前記ノズルの前記フランジの上面に周方向の少なくとも３点で当接する支持部を有する器具本体と、前記容器本体の底面に当接する作用点を有する操作レバーとを備えることができる。作用点は少なくとも１点あればよいが、底面が軸方向から見て円形の場合、底面の周縁上の２点で当接するよう構成されていてもよい。
【００１４】
前記操作レバーは、前記噴射容器の一側方に位置する支軸周りに第１位置と第２位置との間で揺動可能に前記器具本体に取り付けられていてよい。
【００１５】
前記操作レバーは、前記支軸の下方に位置する操作部を有し、操作者が左右側方から前記操作部を押し込むことにより前記付勢部材の付勢力に抗して第１位置から第２位置へ揺動するよう構成されていてよい。押し込み方向は左右側方であってよいが、水平方向に対して傾斜する方向に押し込むよう構成されていてもよい。
【００１６】
前記操作レバーが第１位置にあるとき前記作用点は前記底面の所定の位置に当接し、前記操作レバーが第２位置にあるとき前記作用点は第１位置にあるときよりも上方且つ前記一側方とは反対側の他側方に位置して、該作用点によって前記容器本体が前記ノズルに対して上方に押し込まれる。このように押し込まれた状態で前記付勢部材の付勢力により前記ノズルが上方に付勢される。そして、この付勢力によって前記少なくとも３点で前記フランジが前記支持部に当接支持されるよう構成されており、これにより、操作レバーの作用点が底面の外周縁に近い位置となっていても容器本体を器具本体に対して直立状態で保持でき、噴射操作時の安定性を向上できる。
【００１７】
しかも、操作レバーの操作部の操作力のほぼ全てが作用点により容器本体を上方に押し上げる力に変換されるため、より軽い力で噴射操作を行うことができる。さらに、操作レバーの作用点を有する部位は容器本体の底面にのみ接触し、器具本体の他の部位には接触しないため、噴射操作時に引っかかりが生じることもなく、円滑な噴射操作を行うことができる。
【００１８】
上記本発明の噴射操作支援器具において、前記器具本体は、下方から前記噴射容器を受け入れる容器収容部を有し、前記操作レバーは前記器具本体に対して着脱可能に構成されていてもよい。これによれば、操作レバーを器具本体から取り外すことによって噴射容器を新しいものに交換可能である。しかも、操作レバーを取り付けている状態では操作レバーの作用点が容器本体の底面に当接することで、噴射容器が不慮に脱落してしまうことを防止できる。
【００１９】
また、本発明の噴射操作支援器具は、前記器具本体に着脱可能なキャップをさらに備えていてよい。器具本体に装着されたキャップは、第１位置にある前記操作レバーに係合して、該操作レバーが第２位置に向けて揺動することを阻止するよう構成できる。これによれば、キャップを装着することによって操作レバーが押し込み操作されることを防止でき、キャップを取り外すことによって操作レバーの押し込み操作を許容することができる。
【００２０】
また、操作レバーは、支軸に支持されている部分、操作部、並びに、作用点が存在する部分のすべてが一体に形成された一つの部材であってよい。
【図面の簡単な説明】
【００２１】
【図１】本発明の一実施形態に係る噴射操作支援器具の未操作状態の縦断面図である。
【図２】同噴射操作支援器具の噴射操作状態の縦断面図である。
【図３】同噴射操作支援器具の噴射操作状態の斜視図である。
【図４】同噴射操作支援器具の器具本体の６面図である。
【図５】同噴射操作支援器具の操作レバーの６面図である。
【図６】本発明の他の実施形態に係る噴射操作支援器具のキャップを外した状態の縦断面図である。
【図７】同噴射操作支援器具のキャップを装着した状態の縦断面図である。
【図８】同噴射操作支援器具のキャップの縦断面斜視図である。
【発明を実施するための形態】
【００２２】
以下、本発明の好適な実施形態を図面に基づいて説明する。
【００２３】
図１〜図５は、本発明の一実施形態に係る噴射操作支援器具１及びその構成部品を示している。なお、図４〜図５に示された濃淡は、各部品の表面の立体的形状を現すものである。
【００２４】
本実施形態の噴射操作支援器具１は、点鼻容器などの噴射容器２に取り付けられて、噴射操作を軽い力で容易に行えるようにするものである。
【００２５】
まず、噴射容器２の概略構造について説明する。本実施形態の噴射容器２は、上方に向けて開口する開口部を上部に有する容器本体２１と、容器本体２１の上部に取り付けられるポンプユニット２２とから主構成されている。
【００２６】
容器本体２１は、有底円筒状の胴部２１ａと、該胴部２１ａの上部に設けられた円筒状の口部２１ｂとを有する。胴部２１ａの外径は、口部２１ｂの外径よりも大きい。胴部２１ａの軸心と口部２１ｂの軸心とは略一致しており、これら軸心は上下方向に沿っている。口部２１ｂの外周面には、ポンプユニット２２を取り付けるためのネジ山が設けられている。胴部２１ａの底面は、上下方向に対して略直交する略平坦面であり、容器本体２１を棚や机などに置いたときの安定性向上のために底面の中央部が若干上方に湾曲していてよい。  
【００２７】
ポンプユニット２２は、容器本体２１の口部２１ｂの外周に螺着される円筒状ベース２２ａと、該ベース２２ａに対して未操作位置（図１参照）と噴霧位置（図２参照）との間で軸方向に往復動可能に設けられたノズル２２ｂと、該ノズル２２ｂを未操作位置から噴霧位置に向けて上方に付勢するスプリング２２ｃ（付勢部材）と、該スプリング２２ｃを収容するポンプシリンダ２２ｄとを備えている。これらベース２２ａ、ノズル２２ｂ、スプリング２２ｃ及びポンプシリンダ２２ｄの軸方向は上下方向に沿っている。
【００２８】
ポンプシリンダ２２ｄ内には、軸中央部に流通孔が設けられた軸部を有するピストン２２ｅが軸方向摺動自在に内嵌されている。ピストン２２ｅより下側でポンプシリンダ２２ｄ内にはスプリングホルダー２２ｆが遊嵌されており、スプリング２２ｃの反発力はホルダー２２ｆを介してピストン２２ｅに伝達される。
【００２９】
ノズル２２ｂは、ピストン２２ｅの軸部の上端部に液密状に嵌合され、これによりノズル２２ｂとピストン２２ｅとが一体的に結合されている。
【００３０】
ノズル２２ｂの軸中央部には上下方向に延びる吐出路２２１が設けられている。また、ノズル２２ｂは、吐出路２２１の外周側に設けられたフランジ２２２を一体に備えている。本実施形態では、フランジ２２２は全周に亘るリング状であって、ベース２２ａの上部の外径よりも大径であり、フランジ２２２の軸方向は上下方向に沿っている。フランジ２２２の下面にはベース２２ａの上部に上方から挿入されるスリーブ２２３が一体的に設けられている。
【００３１】
ノズル２２ｂの吐出路２２１内には、ノズル先端部から霧状に噴霧させるためのバルブロッド２２ｇが挿入されており、容器本体２１に対してノズル２２ｂのフランジ２２２をスプリング２２ｃの付勢力に抗して下方に相対的に押し込み操作すると、ノズル先端の噴霧口から内用液が霧状乃至泡状に噴射されるようになっている。この押し込み操作を止めると、スプリング２２ｃの付勢力によってノズル２２ｂが未操作位置まで復帰する。
【００３２】
本実施形態のポンプユニット２２の構造は例示にすぎず、本発明は種々の構造のポンプユニットを採用できる。
【００３３】
次に、噴射操作支援器具１の実施例構造について説明する。
【００３４】
本実施形態に係る噴射操作支援器具１は、ノズル２２ｂのフランジ２２２の上面に周方向の４点で当接する支持部１１ａを有する器具本体１１と、容器本体２１の胴部２１ａの底面に当接する作用点Ａを有する操作レバー１２と、器具本体１１の上部に着脱可能に取り付けられるキャップ１３とから構成されている。
【００３５】
器具本体１１は、図４にも示すように、容器本体２１を周囲三方から覆う断面Ｕ字状で一側方が開放された胴部１１Ａと、該胴部１１Ａの上部に一体的に設けられたカップ状の頭部１１Ｂとを備えており、上記支持部１１ａは頭部１１Ｂの内面に突設された４つのリブで構成されている。一つのリブは、支軸Ｓに対してフランジ２２２の直径方向反対側に設けておくことが好ましい。その他の少なくとも一つのリブは、支軸Ｓ側でフランジ２２２を当接支持する位置に設けることが好ましい。
【００３６】
胴部１１Ａは、掌で把持するに適した大きさ及び外周面形状を有している。頭部１１Ｂの頂部には、ノズル２２ｂの先端部（上端部）が下方から貫挿される開口が設けられている。頭部１１Ｂの内部空間と胴部１１Ａの内部空間とによって、噴射容器２を下方から収容可能な容器収容部が構成されており、噴射容器２は、操作レバー１２を器具本体１１から取り外した状態で、器具本体１１内にその下方から装着可能である。
【００３７】
操作レバー１２は、器具本体１１の胴部１１Ａの側方開放部分に着脱可能に取り付けられているとともに、噴射容器２の側方に位置する支軸Ｓ回りに図１に示す第１位置（未操作位置）と図２に示す第２位置（噴射位置）との間で揺動可能に器具本体１１に取り付けられている。なお、支軸Ｓは器具本体１１及び操作レバー１２のいずれか一方に設けられ、他方には支軸Ｓを受け入れる凹部が形成されていてよい。
【００３８】
操作レバー１２は、フランジ２２２が支持部１１ａに当接している噴射容器２の底面よりも下方に延設された側壁部１２ａを有する。該側壁部１２ａの外側面には、器具本体１１の胴部１１Ａを把持した手の指を掛けるための指掛け凹部Ｒ（操作部）が設けられている。この操作部Ｒは、支軸Ｓの下方に位置している。
【００３９】
側壁部１２ａは、支軸Ｓよりも上方に延設されており、この側壁部１２ａの上端部の外側面は、操作レバー１２が第１位置にあるときに器具本体１１の上部に装着されたキャップ１３の内周面に当接して、キャップ１３によって操作レバー１２を第１位置でロックする。したがって、キャップ１３の装着中、操作レバー１２を第２位置に向けて操作しようとしても第１位置でロックされ、これにより噴射容器２が噴射操作されることを防止できる。一方、噴射容器２が噴射位置にあるときは、図３に示すように側壁部１２ａの上端部が器具本体１１の上部の外周面よりも径方向外方に突出し、この状態ではキャップ１３を装着できないようになっている。
【００４０】
操作レバー１２が第１位置にあるとき、側壁部１２ａの下端縁と、器具本体１１の下端縁とは略同じ平面上に位置しており、これにより、噴射容器２を収容した状態で器具１を棚や机上に安定的に置くことができるようにしている。
【００４１】
また、操作レバー１２は、側壁部１２ａの上下方向中途部から径方向内方に向けて延設された作動片１２ｂを有しており、この作動片１２ｂの先端部が上記作用点Ａとして機能する。操作レバー１２が第１位置にあるとき、作動片１２ｂは水平方向に延設され、その上面が器具本体１１内に装着された噴射容器２の底面を支持する。キャップ１３を取り外して操作レバー１２を第２位置に向けて揺動させると、図２に示すように作動片１２ｂも支軸Ｓ回りに回動して、作動片１２ｂの先端部の作用点Ａによって容器本体２１が押し上げられる。なお、本実施形態では、容器本体２１の底面の中央部が僅かに窪んでいるため、底面の外周部と作動片１２ｂの先端縁とが交差する２点が作用点Ａとなる。
【００４２】
このように、操作レバー１２は、操作者が左右外側方から操作部Ｒを内方に押し込むことにより、スプリング２２ｃの付勢力に抗して第１位置から第２位置へ揺動するよう構成されている。
【００４３】
操作レバー１２が第１位置にあるとき、図１に示すように、上記作用点Ａは容器本体２１の底面の中央寄りに位置している。操作レバー１２を押し込み操作して操作レバー１２が第２位置にあるとき、図２に示すように、上記作用点Ａは第１位置にあるときよりも上方且つ左右外方に位置して、作動片１２ｂの先端部の作用点Ａによって容器本体２１がノズル２２ｂに対して上方に押し込まれる。すると、圧縮されたスプリング２２ｃの付勢力によりノズル２２ｂが上方に付勢され、この付勢力によってフランジ２２２が支持部１１ａの４つのリブのすべてに押圧され支持される。これにより、操作レバー１２の作用点Ａが容器本体２１の底面の左右外方に近い位置となっていても、ノズル先端よりもかなり大径のフランジ２２２を周方向４点で支持することで容器本体２１を器具本体１１に対して直立状態で保持でき、噴射操作時の安定性を向上できる。しかも、操作レバー１２の作用点Ａを支軸Ｓから径方向に大きく離間させることができるので、操作部Ｒの操作量に対して容器本体２１の上方への押し込み量を比較的大きくすることができる。
【００４４】
なお、好ましくは、第２位置にある操作レバー１２の上記作用点Ａが、軸方向から見てフランジ２２２の外径の内部に位置するよう構成することにより、噴射容器２を傾かせるようなモーメントが生じることを回避できる。
【００４５】
本発明は上記実施形態に限定されるものではなく、適宜設計変更できる。例えば、支持部１１ａは、フランジ２２２を全周にわたる無数の点で支持するリング状支持面により構成することができる。また、操作レバー１２が第１位置のとき、作用点Ａは噴射容器２の底面の中央部よりも操作レバー１２側で底面に当接可能とし、第２位置に移動すると作用点Ａは底面の中央付近に当接するよう構成することもできる。また、操作レバー１２の上部の外側面（キャップ１３に当接する面）にリブを設けることもでき、リブを設けることで、キャップ１３を装着したときに操作レバー１２をがたつきなく第１位置にロックすることができ、操作レバー１２の内方への押し込み操作を確実に規制して、一層の誤操作防止を図ることができる。
【００４６】
また、キャップが器具本体に装着されたときにノズルの吐出路の上端開口を密封するシール部材がキャップに取り付けられていてもよく、これにより、スプリング２２ｃなどの付勢部材の付勢力によってノズルの上端部がシール部材に押圧されるよう構成することもできる。さらに好ましくは、キャップは、前記シール部材の周縁部を支持する支持部と、前記シール部材の中央部が上方に湾曲変形することを許容する変形許容空間とを備え、キャップが器具本体に装着されたときノズルの上端部によりシール部材の中央部が上方に押されて湾曲変形するよう構成できる。かかる構成によれば、キャップを器具本体に装着したときにシール部材が変形することにより、ノズルの上端部に大きな軸方向押圧力が作用することが防止される。したがって、ノズルの上端開口を密封するシール部材を設けたにもかかわらず、キャップ装着時の容器本体に対するノズルの下方への押し込み量を可及的に小さくすることができる。これにより、ノズルが比較的大きく押し下げられて内容液が漏れてしまうことを防止できる。さらに、シール部材に対するノズル上端部の接触圧が小さくとも、ノズル上端部の形状に沿ってシール部材が湾曲変形することで、ノズル上端開口を確実に密封することができ、内容製剤の乾燥を防止できる。
【００４７】
図６〜図８は、ノズル上端開口をシールするシール部材をキャップに取り付けた実施形態を例示しており、図１〜図５に示す実施形態と同様の構成については同符号を付して詳細説明を省略し、異なる構成並びに作用効果について説明する。
【００４８】
本実施形態においては、キャップ１３の内部に、ノズル２２ｂの吐出路２２１の上端開口をシールするシール部材１４が取り付けられている。シール部材１４は、キャップ１３の天面に保持されている。具体的には、図８に示すように、キャップ１３の天面には円筒状の保持筒部１３ａがノズル２２ｂと同心状に設けられており、この保持筒部１３ａ内にシール部材１４が嵌め込まれている。
【００４９】
シール部材１４の材質はどのようなものでも良く、例えばゴムやエラストマーなどの弾性体、ポリプロピレンやポリエチレンなどの合成樹脂製などであってよい。また、シール部材１４の構造及び形状も適宜のものであってよいが、図示実施例では容易に変形可能な円板状に構成されている。
【００５０】
また、保持筒部１３ａの奥側（上端側）には、シール部材１４の周縁部を支持する支持凸部（支持部）１３ｂが設けられている。本実施形態では、ブロック状の複数の支持凸部１３ｂが周方向に沿って配置されている。各支持凸部１３ｂ，１３ｂ間には所定の間隔が設けられている。また、各支持凸部１３ｂは、保持筒部１３ａの内周面から径方向内方に向けて少しだけ突出しており、複数の支持凸部１３ｂに囲まれた中央領域に、シール部材１４の中央部が上方に湾曲変形することを許容する変形許容空間が形成されている。
【００５１】
本実施形態の噴射操作支援器具によれば、キャップ１３を器具本体１１から外した状態では、図６に示すようにシール部材１４は元の形状に弾性的に復元する。一方、キャップ１３を器具本体１１に装着すると、キャップ１３に取付けられたシール部材１４がノズル先端部に押し付けられる。このとき、噴射容器２の容器本体２１の底部は操作レバー１２によって支持されているため、噴射容器２の容器本体２１の底部とノズル２２ｂの先端部とが、操作レバー１２とシール部材１４とによって挟み込まれるようになり、ノズル２２ｂが僅かに下方に押し下げられて、付勢手段２２ｃに僅かに付勢力が生じた状態となり、この付勢力によってノズル２２ｂの先端部がシール部材１４の下面中央部に押し付けられる。
【００５２】
また、シール部材１４が容易に弾性変形可能であれば、ノズル先端開口の周縁に全周にわたって密着するようにシール部材１４が上述した僅かな付勢力によって図７に示すように湾曲変形し、ノズル２２ｂの先端部に対する押圧力が小さくても、確実にノズル先端開口を密封し得る。したがって、ノズル２２ｂが大きく押し下げられることもなく、ノズル２２ｂの押し下げに伴う内容液の漏出も防止できる。
【符号の説明】
【００５３】
１    噴射操作支援器具
１１    器具本体
１２    操作レバー
１３    キャップ
１３ａ  保持筒部
１３ｂ  支持凸部（支持部）
１４    シール部材
２    噴射容器
２１    容器本体
２２    ポンプユニット
２２１  吐出路
２２２  フランジ
２２ｂ  ノズル
２２ｃ  付勢部材（コイルスプリング）
Ｓ    支軸
Ｒ    操作部
Ａ    作用点
【図１】
2019119524.tif 000003
【図２】
2019119524.tif 000004
【図３】
2019119524.tif 000005
【図４】
2019119524.tif 000006
【図５】
2019119524.tif 000007
【図６】
2019119524.tif 000008
【図７】
2019119524.tif 000009
【図８】
2019119524.tif 000010